(57)【特許請求の範囲】
【請求項１】
水が流通する流路に配置される円筒状の弁胴と、
当該弁胴の軸方向に対して垂直方向に配置される円板体、及び当該円板体を前記弁胴に回転自在に支持される主軸を有する弁体と、
前記主軸を回転駆動する第１駆動部とを備え、
前記弁体を回転させることによって前記流路を開閉する水力発電所の入口弁であって、
前記主軸に設けられ、前記主軸の端面から前記円板体の中心に向かって前記主軸と同軸に延びる円柱状の孔部と、
当該孔部内に回転自在に挿入される円柱状の副軸と、
前記弁体に形成され、前記円板体及び前記主軸における前記孔部が形成された部分を貫通する第１貫通孔と、
前記副軸における前記第１貫通孔に対応する部位に形成され、前記副軸の軸方向に対して垂直方向に貫通する第２貫通孔と、
前記副軸を回転駆動する第２駆動部と、を更に備え、
前記副軸の回転により、前記第１貫通孔と前記第２貫通孔とを連通して水の流通が可能な貫通孔開放状態と、前記副軸により前記第１貫通孔が閉鎖される貫通孔閉鎖状態に切り替え可能なことを特徴とする水力発電所の入口弁。
【請求項２】
前記主軸は、前記円板体における直径方向の両端部から延在する一対の軸部材によって構成されることを特徴とする請求項１記載の水力発電所の入口弁。
【請求項３】
前記孔部は、前記一対の軸部材における一方の軸部材に設けられ、
前記第１駆動部は、前記一対の軸部材における他方の軸部材を回転駆動して前記弁体を回転させることを特徴とする請求項２記載の水力発電所の入口弁。
【請求項４】
前記第１貫通孔及び前記第２貫通孔は、前記主軸の軸方向に延びる長孔であることを特徴とする請求項１乃至３のいずれか１項記載の水力発電所の入口弁。
【発明の詳細な説明】
【技術分野】
【０００１】
本発明は、水力発電所に用いられ、発電機を回転させる水車に水流を導く水路を開閉する水力発電所の入口弁に関する。
【背景技術】
【０００２】
従来、水力発電所の発電機に水流を導く鉄管には、入口弁が設けられており、この入口弁が開放されることにより、水車に水流が導かれて発電機が回転する。逆に、発電機を停止させる場合等には入口弁が閉鎖され、水車に導かれる水流が遮断される。
ここで、入口弁の開放操作を行う際には、入口弁前後が充水され、入口弁前後の水圧が平衡状態になっている必要がある。このため、従来、入口弁とは別に側路弁が設けられているのが一般的である。
【０００３】
側路弁は、鉄管に設けられ、入口弁に対して上流側と下流側とを連結するバイパス経路を開閉するものである。入口弁を開放することに先立って、まず、側路弁を開き、入口弁に対して下流側に水を流して入口弁前後の水圧を平衡にしてから、入口弁を開放する。これにより、入口弁開閉時に入口弁のシール部異常摩耗、損傷等を防止することが可能になる。
【０００４】
しかしながら、側路弁を設置するためには、側路弁の設置スペースが入口弁とは別に必要となり、しかも鉄管にバイパス経路を設ける必要があるため、高額な設備投資や長期の工事期間を要する場合がある。このような問題点を解決するため、従来、特許文献１に記載された技術が提案されている。特許文献１には、バタフライ弁構造の主弁弁体の略中央にバイパス開口を設け、この開口の中に貫通孔を有する球形弁構造のバイパス弁体を組み込み、更にバイパス弁体の回動軸を主弁弁体の軸の中を貫通して配置し、回転軸を回転させることにより、主弁弁体に対してバイパス弁体を独立して開閉する、という構成について開示されている。
【先行技術文献】
【特許文献】
【０００５】
【特許文献１】特開昭５５−９０７６４号公報
【発明の概要】
【発明が解決しようとする課題】
【０００６】
しかしながら、特許文献１に記載された技術によれば、バイパス開口は、球状のバイパス弁体にフィットする球状にする必要があり、バイパス開口及びバイパス弁体を加工するためのコストがかかる。更に、組立工程において、バイパス開口に球状のバイパス弁体を嵌め込む工程や、バイパス開口に嵌め込んだバイパス弁体に、回動軸を連結する工程といった困難性が高い工程を行う必要がある。
【０００７】
本発明は、このような問題点を解決し、入口弁に対して下流側に充水する構成の簡略化を実現し、入口弁前後の水圧を平衡にすることが容易にできる水力発電所の入口弁を提供することを目的とする。
【課題を解決するための手段】
【０００８】
前記目的を達成するため、本発明は、次に記載する構成を備える。
【０００９】
（１）  水が流通する流路に配置される円筒状の弁胴と、当該弁胴の軸方向に対して垂直方向に配置される円板体、及び当該円板体を前記弁胴に回転自在に支持される主軸を有する弁体と、前記主軸を回転駆動する第１駆動部とを備え、前記弁体を回転させることによって前記流路を開閉する水力発電所の入口弁であって、前記主軸に設けられ、前記主軸の端面から前記円板体の中心に向かって前記主軸と同軸に延びる円柱状の孔部と、当該孔部内に回転自在に挿入される円柱状の副軸と、前記弁体に形成され、前記円板体及び前記主軸における前記孔部が形成された部分を貫通する第１貫通孔と、前記副軸における前記第１貫通孔に対応する部位に形成され、前記副軸の軸方向に対して垂直方向に貫通する第２貫通孔と、前記副軸を回転駆動する第２駆動部と、を更に備え、前記副軸の回転により、前記第１貫通孔と前記第２貫通孔とを連通して水の流通が可能な貫通孔開放状態と、前記副軸により前記第１貫通孔が閉鎖される貫通孔閉鎖状態に切り替え可能なことを特徴とする水力発電所の入口弁。
【００１０】
（１）によれば、弁体を閉鎖した状態で、副軸を回転させて、第１貫通孔と第２貫通孔を連通させて貫通孔開放状態とすることにより、入口弁に対して上流側の水が、第１貫通孔及び第２貫通孔を通過して入口弁の下流側に導くことが可能になる。これにより、従来のような側路弁を設けることなく、入口弁に対して下流側に充水することを簡単な構成で実現し、入口弁前後の水圧を平衡にすることが容易に可能になる。
【００１１】
（２）  （１）において、前記主軸は、前記円板体における直径方向の両端部から延在する一対の軸部材によって構成されることを特徴とする水力発電所の入口弁。
【００１２】
（２）によれば、一対の軸部材における少なくともいずれか一方に、軸部材よりも深い孔部を形成し、この孔部に副軸を挿入することにより、従来のような側路弁を設けることなく、入口弁に対して下流側に充水することを簡単な構成で実現することができる。
【００１３】
（３）  （２）において、前記孔部は、前記一対の軸部材における一方の軸部材に設けられ、前記第１駆動部は、前記一対の軸部材における他方の軸部材を回転駆動して前記弁体を回転させることを特徴とする水力発電所の入口弁。
【００１４】
（３）によれば、孔部が形成されていない他方の軸部材に、第１駆動部からの回転負荷が加わるため、弁体を安定して回転させることが可能になる。
【００１５】
（４）  （１）〜（３）において、前記第１貫通孔及び前記第２貫通孔は、前記主軸の軸方向に延びる長孔であることを特徴とする水力発電所の入口弁。
【００１６】
（４）によれば、入口弁の下流側に導く水量を確保することが可能になる。
【発明の効果】
【００１７】
本発明によれば、簡単な構成で入口弁に対して下流側に水を流して入口弁前後の水圧を平衡にすることができる入口弁を提供することが可能になる。
【図面の簡単な説明】
【００１８】
【図１】本発明の一実施形態における入口弁１の構成を示す正面図である。
【図２】入口弁１を開放する手順を示す説明図である。
【図３】入口弁１を開放する手順を示す説明図である。
【図４】入口弁１を開放する手順を示す説明図である。
【図５】入口弁１を閉鎖する手順を示す説明図である。
【図６】入口弁１を閉鎖する手順を示す説明図である。
【図７】入口弁１を閉鎖する手順を示す説明図である。
【発明を実施するための形態】
【００１９】
以下、本発明の実施形態について、図面を参照しながら詳細に説明する。
図１は本発明の一実施形態における水力発電所の入口弁１の構成を示す正面図である。入口弁１は、弁胴１０と、弁体２０と、第１駆動部に相当する第１駆動モータ５０と、第２駆動部に相当する第２駆動モータ６０とを備えている。この入口弁１は、水力発電所の水車（図示せず）に水流を導くための水路を形成する鉄管に設けられ、入口弁１が開放されることにより、水車が回転し、この回転が発電機（図示せず）に伝達されて発電が行われる。入口弁１が閉鎖されることにより、水車の回転が停止して、発電機の発電が停止する。
【００２０】
弁胴１０は、水が流通する流路に配置される円筒状の部材であり、弁体２０を回転自在に支持する軸受け部１２、１４を備えている。
弁体２０は、円板体２２と、主軸２４と、副軸３０とを備えている。
円板体２２は、弁胴１０を開閉する円板である。
【００２１】
主軸２４は、円板体２２における直径方向の両側部から延在した円柱状の軸部材２４ａ、２４ｂからなる。軸部材２４ａには、円柱状の孔部２６が形成されており、この孔部２６は、軸部材２４ａと同軸に形成されており、軸部材２４ａの端面から、円板体２２の中心近傍まで延びている。更に、弁体２０は、円板体２２及び主軸２４における孔部２６の所定位置に、第１貫通孔に相当する第１バイパス孔２８が形成されている。この第１バイパス孔２８は、主軸２４の軸方向に延びる長孔であり、円板体２２の板面を当該板面及び主軸２４の軸方向に対して垂直方向に貫通している。
【００２２】
副軸３０は、孔部２６内に挿入される円柱状の軸体であり、孔部２６内に配置される挿入部分における第１バイパス孔２８に対応する部位に、第２貫通孔に相当する第２バイパス孔３２が形成されている。この第２バイパス孔３２は、副軸３０の軸方向に延びる長孔であり、副軸３０の軸方向に対して垂直方向に貫通している。ここで、第１バイパス孔２８と第２バイパス孔３２とは、正面視同一形状である。更に、副軸３０の挿入部分における第２バイパス孔３２の両側部には、リング状の止水パッキン３６、３６が設けられており、更に止水パッキン３６、３６の両側には、オイルレス軸受け３４、３４が設けられている。
【００２３】
副軸３０における孔部２６内への挿入部分の長さは、第１バイパス孔２８の形成部位に第２バイパス孔３２を位置付けることができる長さに設定されている。副軸３０が孔部２６内に挿入されると、孔部２６内における第１バイパス孔２８の両側部に止水パッキン３６、３６が密着する。これにより、孔部２６と副軸３０との隙間からの水の浸入が止水パッキン３６、３６によって抑制される。更に、副軸３０は、孔部２６内においてオイルレス軸受け３４、３４によって支持される。これにより、孔部２６内における副軸３０の軸線が安定し、副軸３０を円滑に回転させることが可能になる。
【００２４】
第１駆動モータ５０は、弁体２０を回転駆動するための駆動源である。第１駆動モータ５０を駆動すると、第１駆動モータ５０の回転は軸部材２４ｂに伝達されることにより、弁胴１０内で円板体２２が回転する。図１は、入口弁１が閉鎖している状態、すなわち、円板体２２が弁胴１０を閉鎖している状態を示しており、この状態において流路は入口弁１によって閉鎖され、入口弁１から下流への水の移動が規制される。図１示す閉鎖状態から第１駆動モータ５０を駆動させ、弁体２０を回転させることにより、入口弁１は開放され、入口弁１から下流への水の移動が可能になる。ここで、入口弁１は、図１に示す閉鎖状態から円板体２２が９０°回転した状態で全開となる。なお、以下の説明において、入口弁１が開放している状態（開放状態）とは、閉鎖状態から円板体２２が９０°回転した状態を指すもの。
【００２５】
第２駆動モータ６０は、副軸３０を回転駆動するための駆動源である。第２駆動モータ６０を駆動すると、第２駆動モータ６０の回転が副軸３０に伝達されることにより、孔部２６内で副軸３０が回転する。副軸３０が回転すると、第２バイパス孔３２の向きが変わり、第２バイパス孔３２の向きと第１バイパス孔２８の向きとが一致した場合に、第１バイパス孔２８と第２バイパス孔３２とが連通する。図１は、第１バイパス孔２８と第２バイパス孔３２とが連通した状態を示しており、この状態から、更に副軸３０が９０°回転すると、第１バイパス孔２８は副軸３０によって閉鎖される。
【００２６】
次に、入口弁１を開放する手順について、図２〜図４を参照しながら説明する。なお、図２（ａ）〜図４（ａ）は入口弁１の正面の模式図であり、図２（ｂ）〜図４（ｂ）は図２（ａ）〜図４（ａ）におけるＡＡ線断面の模式図である。
【００２７】
図２は、入口弁１が閉鎖している状態を示す。入口弁１が閉鎖している状態において、図２（ａ）に示すように、円板体２２の円板面は正面を向いており、第１バイパス孔２８は正面を向いている。また、図２（ｂ）に示すように、第２バイパス孔３２は、第１バイパス孔２８の向きに対して９０°の方向を向いており、第１バイパス孔２８は副軸３０によって閉鎖されている。
【００２８】
図２に示す閉鎖状態から入口弁１を開放するには、まず、第２駆動モータ６０を駆動させ、副軸３０を９０°回転させて、図３（ａ）、図３（ｂ）に示すように、第１バイパス孔２８と第２バイパス孔３２とを連通させ、第１バイパス孔２８を開放状態とする。これにより、入口弁１に対して上流側の水が、第１バイパス孔２８及び第２バイパス孔３２を通って、入口弁１の下流側に流出する。
【００２９】
そして、入口弁１前後の水圧を平衡にした後、第１駆動モータ５０を駆動させ、主軸２４を９０°回転させることにより、図４（ａ）、４（ｂ）に示すように、円板体２２が９０°回転することにより、入口弁１が開放状態となる。これにより、図示しない、水力発電用の水車に水が流れるようになる。ここで、入口弁１が開放している状態においては、第１バイパス孔２８に異物が入らないように、第１バイパス孔２８を閉鎖しておくことが望ましい。具体的には、第１駆動モータ５０を駆動させて主軸２４を９０°回転させる際に、副軸３０が回転しないようにロックすることにより、円板体２２が９０°回転した時点で、第１バイパス孔２８は閉鎖状態になる。
【００３０】
次に、入口弁１を閉鎖する手順について、図５〜図７を参照しながら説明する。なお、図５（ａ）〜図７（ａ）は入口弁１の正面の模式図であり、図５（ｂ）〜図７（ｂ）は図５（ａ）〜図７（ａ）におけるＡＡ線断面の模式図である。
入口弁１を閉鎖する際には、入口弁１を開放する手順に対して逆の手順を行う。すなわち、図５（ａ）、（ｂ）に示す入口弁１が開放している状態から、第１駆動モータ５０を逆方向に駆動させ、主軸２４を９０°逆回転させることにより、図６（ａ）、図６（ｂ）に示すように、円板体２２が弁胴１０を閉鎖する。このとき、第１バイパス孔２８と第２バイパス孔３２とが連通した貫通孔開放状態となり、第１バイパス孔２８及び第２バイパス孔３２を水が通過する。そして、第２駆動モータ６０を逆方向に駆動させ、副軸３０を９０°逆回転させることにより、図７（ａ）、図７（ｂ）に示すように、第１バイパス孔２８が副軸３０によって閉鎖される貫通孔閉鎖状態となる。
【００３１】
以上説明したように、本実施形態によれば、入口弁１を閉鎖した状態で副軸３０を回転させ、第１バイパス孔２８と第２バイパス孔３２とを連通させて貫通孔開放状態とすることにより、入口弁１に対して上流側の水が、第１バイパス孔２８及び第２バイパス孔３２を通過して入口弁１の下流側に導くことが可能になる。これにより、従来のような側路弁やバイパス経路を設けることなく、入口弁１前後の水圧を平衡にすることが可能になる。しかも、孔部２６に副軸３０を挿入するという簡単な構成であるため、入口弁１前後の水圧を平衡にするための装置に係るコストを大幅に低減することが可能になる。
【００３２】
また、本実施形態によれば、第１駆動モータ５０は、軸部材２４ｂを回転駆動して弁体２０を回転させており、孔部２６が形成されていない軸部材２４ｂに回転負荷が加わるため、入口弁１の弁体２０を安定して回転させることが可能になる。
【００３３】
また、本実施形態によれば、第１バイパス孔２８及び第２バイパス孔３２は、主軸２４の軸方向に延びる長孔であるため、第１バイパス孔２８と第２バイパス孔３２とを連通させて開放状態とした場合に、入口弁１の下流側に導く水量を確保することが可能になる。
【００３４】
以上、本発明の実施形態について説明したが、本発明は、上述した実施形態に限るものではない。例えば、上述した実施形態によれば、孔部２６を軸部材２４ａに設けているが、軸部材２４ｂに設けてもよい。更には、軸部材２４ａと軸部材２４ｂとに孔部２６を設け、各孔部２６に副軸３０を挿入するように構成してもよい。
【００３５】
また、上述した実施形態によれば、第１駆動モータ５０と第２駆動モータ６０の２つのモータを設けているが、主軸２４と副軸３０とを同時に回転させることがないため、一つの駆動モータによって主軸２４及び副軸３０の回転させる構成とすることが可能である。この場合、主軸２４に回転を伝達及び伝達解除する機構及び副軸３０に回転を伝達及び伝達解除する機構が必要になる。
【００３６】
また、上述した実施形態によれば、第１駆動モータ５０は、軸部材２４ｂを回転駆動しているが、軸部材２４ａを回転駆動してもよい。この場合、一つの駆動モータで主軸２４及び副軸３０の回転させる構成を容易に実現することが可能になる。
【００３７】
また、上述した実施形態によれば、副軸３０は軸周りに回転しているが、それに限らず、副軸３０を軸方向に沿ってスライド移動させる機構を設けてもよい。これにより、第１バイパス孔２８の大きさを調整することが可能になる。
【００３８】
また、上述した実施形態によれば、第１バイパス孔２８及び第２バイパス孔３２は一つであるが、複数形成してもよい。
【符号の説明】
【００３９】
１  入口弁
５  バイパス弁体
１０  弁胴
１２、１４  軸受け部
２０  弁体
２２  円板体
２４  主軸
２４ａ、２４ｂ  軸部材
２６  孔部
２８  第１バイパス孔
３０  副軸
３２  第２バイパス孔
３４  オイルレス軸受け
３６  止水パッキン
５０  第１駆動モータ
６０  第２駆動モータ
【図１】
0005881434.tif 000002
【図２】
0005881434.tif 000003
【図３】
0005881434.tif 000004
【図４】
0005881434.tif 000005
【図５】
0005881434.tif 000006
【図６】
0005881434.tif 000007
【図７】
0005881434.tif 000008